(57)【要約】      （修正有）【課題】  買い物で受け取るレジ袋の提げ紐等を通して使用者の手を保護する手保護体が、薄板状であっても、荷重印加時の手保護体の変形を防止する。【解決手段】  レジ袋などの提げ紐を内側の長さ方向に沿って挿通する断面略々Ｕ字形の薄板状のチャンネル部材２と、このチャンネル部材の外側で把持される握り部と、上記チャンネル部材の長さ方向の両端縁に設けられ提げ紐を通過させる提げ紐通過空間４，４とを備える手保護体を提供する。手保護体は、前記チャンネル部材２のＵ字状内側には、前記両端縁から離間する位置に長さ方向に対して直角方向に幅のある提げ紐嵩上げ部５，５が張り出しされてなる。【選択図】  図２
2005289419.tif 000002
【特許請求の範囲】
【請求項１】
レジ袋などの提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、
前記チャンネル部材のＵ字状内側には、前記両端縁から離間する位置に長さ方向に対して直角方向に幅のある提げ紐嵩上げ部が張り出しされていることを特徴とする手保護体。
【請求項２】
レジ袋などの提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、
前記チャンネル部材のＵ字状内側には、前記両端縁から離間する位置に長さ方向に対して直角方向に幅のある提げ紐嵩上げ部が張り出しされ、前記チャンネル部材の両立上げ壁には長さ方向の中央から前記両端縁に向けて立上げ量を暫減する背高壁部が付設されていることを特徴とする手保護体。
【請求項３】
レジ袋などの提げ紐を内側の長さ方向に沿って挿通する断面略々Ｕ字状の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、
前記チャンネル部材のＵ字状内側には、前記両端縁から離間する位置に長さ方向に対して直角方向に幅のある提げ紐嵩上げ部が張り出しされ、前記チャンネル部材の両立上げ壁には長さ方向の両端面を肉厚とする当接緩和面部が設けられていることを特徴とする手保護体。
【請求項４】
レジ袋などの提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、
前記チャンネル部材のＵ字状内側には、前記両端縁から離間する位置に長さ方向に対して直角方向に幅のある提げ紐嵩上げ部が張り出しされているとともに、長さ方向の中央から前記両端縁に向けて肉厚が暫減して前記提げ紐嵩上げ部に連なる提げ紐誘導傾斜面部が付設されていることを特徴とする手保護体。
【請求項５】
請求項１〜４のいずれか記載の手保護体において、提げ紐嵩上げ部はチャンネル部材の肉厚の１．５倍〜５倍、好ましくは３倍〜４倍の高さに嵩上げされると同時に、上面で提げ紐が軸方向で丸まらないような略々水平面状に形成されることを特徴とする手保護体。
【請求項６】
レジ袋や紙袋の提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、
前記チャンネル部材の両立上げ壁には、長さ方向の中央から前記両端縁に向けて立上げ量を暫減する背高壁部が付設されるとともに、長さ方向の両端面を肉厚とする当接緩和面部が設けられていることを特徴とする手保護体。
【発明の詳細な説明】
【技術分野】
【０００１】
本発明は、買い物などで受け取るレジ袋や紙袋に荷物を入れたときの提げ紐から、消費者の手を保護するための手保護体に関する。
【背景技術】
【０００２】
従来、断面略々Ｕ字形を呈する薄板状のチャンネル部材の両端に、幅の狭い提げ紐の導入間隙を有する一対の保持片と、保持片に囲まれる提げ紐保持部が設けられる手保護体が提供されている。この手保護体は、使用時にしっかりと手を保護し、提げ紐に着脱が容易であるうえに、Ｕ字形部分を重ね合わせた状態で保持して提供することができ、かつ安価に製造することが可能である（例えば、特許文献１参照。) 。
【０００３】
また、特許文献１と同様なＵ字状構成を有する手保護体であるが、外面の握り部には下方へ突出する凸部が付加されて指のくぼみ面が設けられている（特許文献２参照）。
【０００４】
【特許文献１】特開平７−２５５５２１号公報（第１−３ページ、第１図）
【特許文献２】特表平６−５０８５３１号公報（第２、５−６ページ、第１図）
【発明の開示】
【発明が解決しようとする課題】
【０００５】
ところが、特許文献１に記載の手保護体は、Ｕ字状に樹脂成形することで補強力を高めているが、提げ紐の内容物が著しく重い場合には、この重量に伴う荷重によってＵ字形の形状を維持することができない不具合が稀に起こることが判明した。
【０００６】
この場合に、特許文献１の手保護体を厚板状に形成すれば曲げ変形が阻止できるが、この種の手保護体は使い捨てや消耗品扱いされるものであれば、厚板化することは無駄を招来することとなる。
【０００７】
また、特許文献２に記載の手保護体では、握り部の下方の凸部が突出されているので、数倍の厚肉構造を呈しており、重ね合わせた状態として保管することができない。しかも、二重構造であるためにコスト高となる。したがって、販売店側では無償提供することが難しく、使い捨てや消耗品扱いすることができない。  
【０００８】
そこで本発明は、上記従来の状況に鑑み、買い物で受け取るレジ袋の提げ紐や紙袋の提げ紐等を通して使用者の手を保護する手保護体において、薄板状であっても、荷重印加時の手保護体の変形を防止し、加重による手保護体の手中での回転を防止することが可能な手保護体を提供することを目的としている。
【課題を解決するための手段】
【０００９】
上記課題を解決するために本発明の請求項１に係る手保護体は、レジ袋などの提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、前記チャンネル部材のＵ字状内側には、前記両端縁から離間する位置に長さ方向に対して直角方向に幅のある提げ紐嵩上げ部が張り出しされていることを特徴としている。
【００１０】
また上記課題を解決するために本発明の請求項２に係る手保護体は、レジ袋などの提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、前記チャンネル部材のＵ字状内側には、前記両端縁から離間する位置に長さ方向に対して直角方向に幅のある提げ紐嵩上げ部が張り出しされ、前記チャンネル部材の両立上げ壁には長さ方向の中央から前記両端縁に向けて立上げ量を暫減する背高壁部が付設されていることを特徴とする。
【００１１】
また上記課題を解決するために本発明の請求項３に係る手保護体は、レジ袋などの提げ紐を内側の長さ方向に沿って挿通する断面略々Ｕ字状の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、前記チャンネル部材のＵ字状内側には、前記両端縁から離間する位置に長さ方向に対して直角方向に幅のある提げ紐嵩上げ部が張り出しされ、前記チャンネル部材の両立上げ壁には長さ方向の両端面を肉厚とする当接緩和面部が設けられていることを特徴とする。
【００１２】
また上記課題を解決するために本発明の請求項４に係る手保護体は、レジ袋などの提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、前記チャンネル部材のＵ字状内側には、前記両端縁から離間する位置に長さ方向に対して直角方向に幅のある提げ紐嵩上げ部が張り出しされているとともに、長さ方向の中央から前記両端縁に向けて肉厚が暫減して前記提げ紐嵩上げ部に連なる提げ紐誘導傾斜面部が付設されていることを特徴としている。
【００１３】
また上記課題を解決するために本発明の請求項５に係る手保護体は、請求項１〜４のいずれか記載の手保護体において、提げ紐嵩上げ部はチャンネル部材の肉厚の１．５倍〜５倍、好ましくは３倍〜４倍の高さに嵩上げされると同時に、上面で提げ紐が軸方向で丸まらないような略々水平面状に形成されることを特徴とする。
【００１４】
さらに、上記課題を解決するために本発明の請求項６に係る手保護体は、レジ袋などの提げ紐を内側の長さ方向に沿って挿通する断面略々Ｕ字形の薄板状のチャンネル部材と、このチャンネル部材の外側で把持される握り部と、上記チャンネル部材の長さ方向の両端縁に設けられ提げ紐を通過させる提げ紐通過空間とを備えている手保護体において、前記チャンネル部材の両立上げ壁には、長さ方向の中央から前記両端縁に向けて立上げ量を暫減する背高壁部が付設されるとともに、長さ方向の両端面を肉厚とする当接緩和面が設けられていることを特徴とする。
【発明の効果】
【００１５】
本発明の請求項１によれば、チャンネル部材のＵ字状内側に、前記両端縁から離間する位置に長さ方向に対して直角方向に幅のある提げ紐嵩上げ部が張り出しされているので、Ｕ字形内側での提げ紐嵩上げ部との組合せによって、薄板状であってもＵ字形を確実に維持することができ、手保護体の変形を防止することができる。
また、Ｕ字形内側に挿通する提げ紐による荷重を、長さ方向の両端縁から離間する位置で嵩上げして長さ方向の中央への集中を阻止することができ、提げ紐通過空間への直接的な荷重をも回避することができる。その結果、薄板状に成形して原料節約効果を実現できる。
【００１６】
次に、本発明の請求項２によれば、チャンネル部材のＵ字状内側に設けられる提げ紐嵩上げ部と、チャンネル部材の両立上げ壁の長さ方向の中央から前記両端縁に向けて立上げ量を暫減する背高壁部との付設との組合せによって、薄板状であってもＵ字形を維持して手保護体の変形を防止することができる。
また、Ｕ字形内側に提げ紐を挿通して把持したときに、Ｕ字形の両立上げ壁の中央が高くなって補強されると同時に中指と薬指が長いことに適応でき、あわせて短い親指，小指側にの適応でき、持ち易い手保護体を提供できる。
【００１７】
また、本発明の請求項３によれば、チャンネル部材のＵ字状内側に設けられる提げ紐嵩上げ部と、チャンネル部材の両立上げ壁の長さ方向の両端面を肉厚とする当接緩和面部との組合せによって、薄板状であってもＵ字形を維持して手保護体の変形を防止することができるうえに、Ｕ字形内側に提げ紐を挿通して把持したときに親指などが当たる当接緩和面部の肉厚が厚く丸みを帯びているので、指先へのエッジ集中を緩和することができ、楽に使用することができる。
【００１８】
次に、本発明の請求項４によれば、チャンネル部材のＵ字状内側に、提げ紐嵩上げ部とこの提げ紐嵩上げ部に連なって長さ方向の中央から前記両端縁に向けて肉厚が暫減する提げ紐誘導傾斜面部との組合せによって、薄板状であってもＵ字形を確実に維持することができ、手保護体の変形を防止することができる。
特に、Ｕ字形内側に挿通する提げ紐による荷重を、長さ方向の中央での肉厚と長さ方向の両端縁から離間する位置で嵩上げとにより、荷重を３か所で分担することができ、提げ紐通過空間への直接的な荷重をも回避することができる。
【００１９】
さらに、本発明の請求項６によれば、チャンネル部材のＵ字状の両立上げ壁を、長さ方向の中央から前記両端縁に向けて立上げ量を暫減する背高壁部を付設するとともに、長さ方向の両端面を肉厚とする当接緩和面を設けたので、薄板状であってもＵ字形を維持して手保護体の変形を防止することができる。
また、Ｕ字形内側に提げ紐を挿通して把持したときに手掌の親指側に適合することができるばかりか、当接緩和面部によって指先へのエッジ集中を緩和することができ、持ち易い手保護体を提供できる。
【発明を実施するための最良の形態】
【００２０】
以下、本発明に係る手保護体の最適な実施の形態（１）を図面に基づいて説明する。
図１は実施の形態（１）の手保護体を示す斜視図、図２は同手保護体をチャンネル部材とこれから切り離した特徴的結合要素とに分けて説明する分解斜視図、図３は同手保護体の長さ方向からの断面図、図４は同手保護体の平面図、図５は図３のＡ−Ａ線の拡大断面図、図６は図３のＢ−Ｂ線の拡大断面図、図７は図３のＣ−Ｃ線の拡大断面図、図８は図３のＤ−Ｄ線の拡大断面図、図９は図３のＥ−Ｅ線の拡大断面図，図１０は使用状態を示す斜視図である。
【００２１】
図１に示すように、手保護体１は、人が手指で握ることができる略々Ｕ字形の断面を呈して手掌幅程度の長さ寸法を有する全体形状を呈し、全体として薄板状のチャンネル部材２を主要部として形成される。手保護体１は、チャンネル部材２の外側面に握り部３を備え、上記チャンネル部材２の長さ方向の両端縁には提げ紐通過空間４が形成されている。上記チャンネル部材２は、底部１１と、その長さ方向両側を上方に立上げした立上げ壁１２，１２とから断面略々Ｕ字形を呈し、この構成は特許文献１に示されている。
【００２２】
実施の形態（１）の手保護体１は、チャンネル部材２のＵ字形内側の長さ方向の両端縁１０，１０から離間する位置α，αに長さ方向に対して直角方向に提げ紐嵩上げ部５，５が張り出しされて付加されている。なお、ここでいうＵ字形断面とは、上向きの略々Ｕ字形の他に、上向きの略々コの字形や半円形を含む。
手保護体１としては、例えばポリプロピレン，ＡＢＳなどの熱可塑性合成樹脂を素材として樹脂成形される。材料価格に応じては生分解性合成樹脂を選択することもできる。また、樹脂フィルムを積層した紙素材や合成樹脂を含浸させた合成紙素材などを選択することも可能である。
【００２３】
上記チャンネル部材２は、図３，図５〜図８に示すように底部１１が長さ方向と幅方向とに平面状を呈するＵ字形を呈して構成される。このチャンネル部材２は、両端縁１０，１０の間の距離を７０ｍｍ〜９０ｍｍとしたときには、肉厚ｔ１が０．４ｍｍ〜１．５ｍｍの薄板状に形成される。
【００２４】
上記提げ紐嵩上げ部５は、チャンネル部材２の肉厚ｔ１の１．５倍〜５倍の高さｈに嵩上げされる。この実施の形態（１）では肉厚ｔ１の約４倍に嵩上げされている。ここで、提げ紐３０はレジ袋の場合には帯状のシ−トを丸めて把持することとなるが、提げ紐嵩上げ部５は嵩上げした提げ紐３０の軸方向での丸まりを誘発しないように上面が略々平面状で、且つ幅ｗに広く形成されている。
【００２５】
上記提げ紐嵩上げ部５の離れた位置αは、提げ紐３０の荷重がチャンネル部材２の両端縁１０，１０で下方へ直交せずに斜めに緩和されるように両端縁から僅かに離れた距離が選択される。よって、チャンネル部材２の両端縁１０，１０には、提げ紐３０の方向性を案内するガイド面１３，１３が両端縁１０，１０に向かって斜め下降して設けられている。ガイド面１３は提げ紐３０のばらつきを抑えるようにチャンネル部材２の幅方向に向けて２／３ないし３／４程度に狭く形成されている。実験によると、両端縁１０，１０の間の距離を７２ｍｍ程度としたときには、離れた位置αを３〜４ｍｍにすると、荷重集中は約７０％〜８５％程度緩和することができる。
【００２６】
次に、チャンネル部材２の上面には、両端側の提げ紐嵩上げ部５，５に直交して連結する収束分散骨部６が隆起して付加されている。収束分散骨部６は、図２，図５〜図８に示すように断面が半円柱状に隆起されて、底部１１の幅方向の中央に配置され、図９に示すように提げ紐嵩上げ部５よりも低く隆起されている。その結果、提げ紐３０は、帯状の状態でＵ字形の内側に挿通されたときに収束分散骨部６で軸方向での収束ないし丸まりが妨げられる。提げ紐３０は、収束分散骨部６を介して軸方向で分断された如き状態で挿通され、提げ紐３０の軸方向での転がりが阻止されることとなる。また、図７では、端部側に近い底部１１と立上げ壁１２，１２とが薄板状を呈しているが、Ｕ字形内側への荷重は隣接する図８の提げ紐嵩上げ部５によって維持される。これに加えて、収束分散骨部６とその両端側の提げ紐嵩上げ部５，５とで略々Ｈ状に連結される補強梁構造を提供する。
【００２７】
さらに、手保護体１の立上げ壁１２，１２の上端面には、長さ方向の中央から両端縁１０，１０に向けて立上げ量を暫減する背高壁部７が付加され、全体としてなだらかな山形状の両壁構造に形成されている。また、両立上げ壁１２，１２には、長さ方向の両端側に位置して両端上面を肉厚とする当接緩和面部８が４箇所設けられている。当接緩和面部８は図８，図９に示すように、両端上面を肉厚構造としたうえで端面に丸みを帯びた形状とし、端部側のみに延設することで把持に際しての指先や手掌の当接が和らげられる。なお、上記背高壁部７，７と当接緩和面部８，８，８，８は上述した補強梁構造と連結されている。
【００２８】
さらにまた、チャンネル部材２の両端縁１０，１０には、提げ紐通過空間４，４を囲む一対の保持片１４，１４がそれぞれ設けられている。一対の保持片１４，１４は先端に提げ紐３０の挿通間隙を有し、提げ紐３０の押し込みに伴って弾性偏位して保持する。
【００２９】
上記構成によれば、手保持体１はＵ字状内側にある提げ紐嵩上げ部５，５の上に上位の手保持体１の握り部３が当接する範囲で重ね合わされて収納ないし保管されている。使用に際しては、図１，図１０に示すように、買い物などを入れたレジ袋の提げ紐３０を手保護体１の上面開口から挿入し、両端縁１０，１０の提げ紐通過空間４，４に保持片１４，１４を介して下方へ吊り下げされる。
【００３０】
提げ紐３０は、Ｕ字形内側の背高壁部７，７と立上げ壁１２，１２の間に挟み込みされ、底部１１の収束分散骨部６で帯状からの丸まりを阻止された状態で収容される。また、提げ紐３０は、両端縁１０，１０から離間する提げ紐嵩上げ部５，５によって、底部１１と収納分散骨部６から持ち上げられ、補強梁構造で荷重が支持される。
すなわち、チャンネル部材２の他に、提げ紐嵩上げ部５，５と収束分散骨部６と背高壁部７，７とによる補強梁構造で提げ紐３０への荷重がそれぞれに分担され、手保護体１が薄板状であっても変形せずに実用化されることとなる。その後、提げ紐３０はガイド面１３，１３に案内されて提げ紐通過空間４，４から下方で買い物などを保持している。
【００３１】
手保護体１を手で把持するに際しては、図１０に示すように、手掌と指付け根とで握り部２が把持され、親指と小指あるいは手掌が当接緩和面部８〜８の丸まった肉厚部位に当接している。
【００３２】
図１１は実施の形態（２）の手保護体を示す斜視図、図１２は同手保護体をチャンネル部材とこれから切り離した結合要素とに分けて説明する一部切欠分解斜視図である。
【００３３】
次に、チャンネル部材２の内側には、提げ紐誘導傾斜面部９が一体に付設されている。提げ紐誘導傾斜面部９は、長さ方向の中央の肉厚ｔ２と両端縁近傍の肉厚ｔ３とがｔ２＞ｔ３の関係となるように中央から両端縁１０，１０に向けて肉厚が暫減され、幅方向において中央から両端側に向けて幅狭くなるように形成されている。
【００３４】
提げ紐嵩上げ部２０，２０は、提げ紐傾斜誘導面部９の両端側の肉厚ｔ３，ｔ３で一体連結されている。提げ紐嵩上げ部２０は上面を平面状ないし僅かな湾曲面状に形成される。提げ紐誘導傾斜面部９とその両端での提げ紐嵩上げ部２０，２０とによって、全体としての補強梁構造が提供される。
【００３５】
上記構成によれば、提げ紐３０は、その軸方向において提げ紐誘導傾斜面部９の中央で収束せずに僅かに嵩上げられるように誘導され、両端側で収束せずに緩く解放された後に提げ紐嵩上げ部２０，２０で嵩上げされ、荷重が提げ紐誘導傾斜面部９と提げ紐嵩上げ部とで分担される。その結果、手保護体１が薄板状であっても変形せずに実用化される。
【産業上の利用可能性】
【００３６】
本発明に係る手保護体１によれば、薄板状のチャンネル部材２に提げ紐嵩上げ部５，５を付加しているので、薄板状であっても破損することを防ぎ、提げ紐３０が確実に保持されることとなる。特に、チャンネル部材１に対して、提げ紐嵩上げ部５，５または２０，２０を、収束分散骨部６あるいは提げ紐誘導傾斜面部９で一体連結し、合わせて背高壁部７，７を付加する補強梁構造を提供することができ、重い荷物であったとしてもしっかりと安定した把持感を得ることができる。
【図面の簡単な説明】
【００３７】
【図１】本発明に係る実施の形態（１）の手保護体を示す斜視図である。
【図２】手保護体をチャンネル部材とこれから切り離した特徴的結合要素とに分けて説明する分解斜視図である。
【図３】図３は手保護体の長さ方向からの断面図である。
【図４】図４は手保護体の平面図である。
【図５】図３のＡ−Ａ線の拡大断面図である。
【図６】図３のＢ−Ｂ線の拡大断面図である。
【図７】図３のＣ−Ｃ線の拡大断面図である。
【図８】図３のＤ−Ｄ線の拡大断面図である。
【図９】図３のＥ−Ｅ線の拡大断面図である。
【図１０】使用状態を示すの拡大斜視図である。
【図１１】本発明に係る実施の形態（２）の手保護体を示す斜視図である。
【図１２】手保護体をチャンネル部材とこれから切り離した特徴的結合要素とに分けて説明する一部切欠分解斜視図である。
【符号の説明】
【００３８】
１        …  手保護体
２        …  チャンネル部材
３        …  握り部
４        …  提げ紐通過空間
５，２０  …  提げ紐嵩上げ部
６        …  収束分散骨部
７        …  背高壁部
８        …  当接緩和面部
９        …  提げ紐誘導傾斜面部
１０      …  両端縁
１１      …  底部
１２      …  立上げ壁
１３      …  ガイド面
１４      …  保持片
３０      …  提げ紐
【図１】
2005289419.tif 000003
【図２】
2005289419.tif 000004
【図３】
2005289419.tif 000005
【図４】
2005289419.tif 000006
【図５】
2005289419.tif 000007
【図６】
2005289419.tif 000008
【図７】
2005289419.tif 000009
【図８】
2005289419.tif 000010
【図９】
2005289419.tif 000011
【図１０】
2005289419.tif 000012
【図１１】
2005289419.tif 000013
【図１２】
2005289419.tif 000014